(57)【要約】【課題】燃費節約の効果を分かりやすく表示することができる車両用燃費表示装置を提供する。【解決手段】車両のエネルギー消費量を取得するエネルギー消費量取得手段と、車両の走行距離を取得する走行距離取得手段と、エネルギー消費量および走行距離とに基づいて、燃料消費率を算出する燃費算出手段と、燃料消費率に基づいて、燃費向上効果を算出する燃費向上効果算出手段と、燃費向上効果を出力する燃費向上効果出力手段と、を備えることを特徴とする。【選択図】図１
2010038754.tif 000002
【特許請求の範囲】
【請求項１】
車両のエネルギー消費量を取得するエネルギー消費量取得手段と、
車両の走行距離を取得する走行距離取得手段と、
前記エネルギー消費量および前記走行距離とに基づいて、燃料消費率を算出する燃費算出手段と、
前記燃料消費率に基づいて、燃費向上効果を算出する燃費向上効果算出手段と、
前記燃費向上効果を出力する燃費向上効果出力手段と、
を備えることを特徴とする車両用燃費表示装置。
【請求項２】
前記燃費算出手段は、前記走行距離が予め定められた基準走行距離値となった毎に前記燃料消費率を算出し、
前記燃費向上効果算出手段は、前記燃料消費率が予め定められた燃費閾値よりも良好な場合、該燃料消費率と該燃費閾値との差分を前記燃費向上効果として算出する請求項１に記載の車両用燃費表示装置。
【請求項３】
前記燃費向上効果は、前記燃料消費率と前記燃費閾値との差分を、
該差分に相当する燃料量に換算したもの、
該差分に相当する走行可能な距離に換算したもの、
該差分に相当する金額に換算したもの、
該差分に相当する燃費向上ポイントに換算したもの、
のうちの１つ以上を用いる請求項２に記載の車両用燃費表示装置。
【請求項４】
前記エネルギー消費量は、燃料消費量および電力消費量のうちの一方あるいは両方を含む請求項１ないし請求項３のいずれか１項に記載の車両用燃費表示装置。
【請求項５】
前記燃費向上効果出力手段は、前記燃費向上効果の度合いに対応したインジケータ表示を行う請求項１ないし請求項４のいずれか１項に記載の車両用燃費表示装置。
【請求項６】
前記燃費向上効果出力手段は、前記基準走行距離値毎の前記燃費向上効果の積算値を表示する請求項２ないし請求項５のいずれか１項に記載の車両用燃費表示装置。
【請求項７】
前記燃費向上効果の積算値をリセットする積算値リセット手段を備える請求項６に記載の車両用燃費表示装置。
【発明の詳細な説明】
【技術分野】
【０００１】
本発明は、車両の燃料消費状況を表示する車両用燃費表示装置に関するものである。
【背景技術】
【０００２】
地球温暖化の防止の目的あるいは原油価格の高騰により、燃費の良い車両を選ぶ傾向が高くなっている。また、走行時の燃費を表示する燃費表示装置を搭載した車両も増えている。
【０００３】
上記の燃費表示装置は、エンジン始動時から燃料消費量の計測を開始して燃費を表示するものである。エンジン始動時は、一般的にアイドリング状態であり、このアイドリング状態を燃費の表示に含めることは、燃費表示の有効性が薄れる。例えば、エンジンを始動後、人待ちをして１０分のアイドリング時間を要し、その後、混んだ町中を走行した場合を想定する。この時に表示された燃費は、通常の市街地走行や高速道路を走行した場合よりも燃費が悪化することが推測できる。しかし、この燃費の悪化がアイドリングに起因するものなのか、または混んだ町中を走行したことによるものなのかを明確に知りたいことがある。
【０００４】
そこで、車速が所定の閾値を超えたときから走行距離の計測を開始することで、例えば、始動時アイドリング中の燃料消費量を燃費の算出から除くことができ、この結果、実際の走行時の燃費に近い値を表示でき、運転者に有効な燃費情報を提供する車両用燃費計が考案されている（特許文献１参照）。
【０００５】
【特許文献１】特許第３７４７０１５号公報
【発明の開示】
【発明が解決しようとする課題】
【０００６】
しかし、特許文献１等の従来技術では、瞬間燃費、平均燃費などが表示されるが、瞬間燃費では、予め設定されている時間，距離，区間(出発地〜目的地等)に対する燃料消費がどれだけあったかを表示するだけのため、区間の一部でユーザが燃費を節約する走行をしても、区間全体としては平均化されてしまい、燃費節約の効果の度合が分かりにくいという問題があった。
【０００７】
上記問題を背景として、本発明の課題は、燃費節約の効果を分かりやすく表示することができる車両用燃費表示装置を提供することにある。
【課題を解決するための手段および発明の効果】
【０００８】
上記課題を解決するための車両用燃費表示装置は、車両のエネルギー消費量を取得するエネルギー消費量取得手段と、車両の走行距離を取得する走行距離取得手段と、エネルギー消費量および走行距離とに基づいて、燃料消費率を算出する燃費算出手段と、燃料消費率に基づいて、燃費向上効果を算出する燃費向上効果算出手段と、燃費向上効果を出力する燃費向上効果出力手段と、を備えることを特徴とする。
【０００９】
上記構成によって、従来は、単に、予め設定されている時間、距離に対する燃料消費がどれだけあったかを表示するだけではなく、燃費向上効果が平均化されることはなく、どれだけの燃費向上効果があったかを分かりやすく出力することが可能となる。
【００１０】
また、本発明の車両用燃費表示装置における燃費算出手段は、走行距離が予め定められた基準走行距離値となった毎に燃料消費率を算出し、燃費向上効果算出手段は、燃料消費率が予め定められた燃費閾値よりも良好な場合、該燃料消費率と該燃費閾値との差分を燃費向上効果として算出するように構成される。
【００１１】
上記構成によって、単なる瞬間燃費や平均燃費を表示するのではなく、予め定められた燃費閾値よりも良好な場合に燃費向上効果があると判定するので、より具体的にどのタイミングでどれだけの燃費向上効果があったかという情報を出力することができる。
【００１２】
また、本発明の車両用燃費表示装置における燃費向上効果は、燃料消費率と燃費閾値との差分を、該差分に相当する燃料量に換算したもの、該差分に相当する走行可能な距離に換算したもの、該差分に相当する金額に換算したもの、該差分に相当する燃費向上ポイントに換算したもの、のうちの１つ以上を用いるように構成される。
【００１３】
上記構成によって、燃費向上効果を、例えば燃料をどれだけ節約できたかというように、乗員により分かりやすく出力することができる。特に、燃費向上効果を金額で表示した場合の訴求効果は大きく、乗員は更なる省燃費運転を行うことを心掛けるようになることが期待できる。
【００１４】
また、本発明の車両用燃費表示装置におけるエネルギー消費量は、燃料消費量および電力消費量のうちの一方あるいは両方を含むように構成される。
【００１５】
上記構成によって、ガソリン等の内燃機関エンジンのみで走行する車両、電気モータのみで走行する電気自動車、内燃機関エンジンおよび電気モータの両方で走行するハイブリッド車両のいずれにおいても、本発明の車両用燃費表示装置を適用することができる。
【００１６】
また、本発明の車両用燃費表示装置における燃費向上効果出力手段は、燃費向上効果の度合いに対応したインジケータ表示を行うように構成される。
【００１７】
上記構成によって、乗員にリアルタイムで基準走行距離値毎の燃費向上効果を表示することができる。
【００１８】
また、本発明の車両用燃費表示装置における燃費向上効果出力手段は、基準走行距離値毎の燃費向上効果の積算値を表示するように構成される。
【００１９】
従来技術では、単なる瞬間燃費や平均燃費を表示する場合には、燃費向上効果の度合いが判りにくい。一方、上記構成によって、従来では平均化されて可視化できなかった燃費向上効果を表示することができる。
【００２０】
また、本発明の車両用燃費表示装置は、燃費向上効果の積算値をリセットする積算値リセット手段を備えるように構成される。
【００２１】
上記構成によって、乗員の所望のタイミング，走行区間，走行期間において燃費向上効果の積算値を表示することができる。
【発明を実施するための最良の形態】
【００２２】
以下、本発明の車両用燃費表示装置の実施の形態を、図面を参照しながら説明する。図１に車両用燃費表示装置４のシステム構成図を示す。車両用燃費表示装置４には、エネルギー消費量検出手段１，走行距離検出手段２が車内ＬＡＮ３を介して接続され、バッテリ５から電源（＋Ｂ）が供給され、イグニッションスイッチ（以下、ＩＧ＿ＳＷと表記）６のＯＮ／ＯＦＦにより動作／停止する。
【００２３】
エネルギー消費量検出手段１は、以下のうちの１つ以上が用いられる。
・エンジン（ＥＮＧ）ＥＣＵ：車両（ハイブリッド車両を含む）のエンジン（内燃機関）の回転制御を行う制御ユニットである。エンジンＥＣＵでは、車両の走行状態（水温，速度，エンジン回転数等）に基づいて、最適な燃料噴射量や点火時期を算出している。この燃料噴射量がエネルギー消費量に相当し、エンジンＥＣＵからは燃料噴射量の情報が出力されている。車両用燃費表示装置４は、車内ＬＡＮ３を介して燃料噴射量の情報を取得する。
・電源ＥＣＵ：電池ＥＣＵとも呼ばれ、電気自動車やハイブリッド車両のモータ駆動用バッテリにおける電力収支（充放電の状態）を監視するものである。モータ駆動用バッテリからの放電（消費）電力がエネルギー消費量に相当し、車両用燃費表示装置４は、車内ＬＡＮ３を介して消費電力量の情報を取得する。前回取得したバッテリ充電率と今回取得したバッテリ充電率との差分から消費電力量（エネルギー消費量）を算出してもよい。
・燃料センサ情報：燃料タンク（図示せず）に取り付けられ、例えば燃料の液面に浮かぶフロートの位置によって、燃料残量を検出する燃料センサからの情報を、車内ＬＡＮ３を介して、または、直接燃料センサからの電気信号として取得する。前回取得した燃料残量と今回取得した燃料残量との差分がエネルギー消費量となる。
【００２４】
走行距離検出手段２は、例えば、ＡＢＳ（Anti  Lock  Brake  System：アンチロック・ブレーキ・システム）  ＥＣＵを用いる。ＡＢＳでは、各タイヤ（図示せず）に、その車輪速を検出するためそれぞれに車輪速センサが１個ずつ設置されている。その車輪速の信号を取得して、ＡＢＳ  ＥＣＵが車速や路面に応じた適切な制御信号をアクチュエーターに送る。アクチュエーターはＡＢＳ  ＥＣＵからの制御信号により各ホイールシリンダのブレーキ油圧を制御する。車輪速センサは、例えば周知のロータリエンコーダを含んで構成され、タイヤの回転状態をパルス信号として出力する。ＡＢＳ  ＥＣＵからは、パルス信号をカウントしたカウント値が出力されている。車両用燃費表示装置４は、車内ＬＡＮ３を介してカウント値の情報を取得する。このカウント値は、例えば０〜４０９５の間で変化するもので、オーバーフローすると０からカウントアップを始める。また、１パルスあたりの走行距離は車両毎に決まっているので、カウント値（の差分）から走行距離を算出することができる。
【００２５】
車両用燃費表示装置４は、車内ＬＡＮ３との通信を行うための多重通信インターフェース回路である多重Ｉ／Ｆ４１，クリアＳＷ４２に接続されてクリアＳＷ４２の状態を検出してＣＰＵ４４に出力する入出力回路であるＩ／Ｆ４３，ＬＣＤ表示器４５（表示用のドライバ回路を含む），ＥＥＰＲＯＭ（Electrically  Erasable  &  Programmable  Read  Only  Memory：電気的消去・プログラム可能・読出し専用メモリ）４６，内部電源４７，ＩＧ＿ＳＷの状態を検出してＣＰＵ４４に出力する入出力回路であるＩ／Ｆ４８，およびこれらが接続された周知のＣＰＵ４４を含んで構成される。
【００２６】
なお、多重Ｉ／Ｆ４１が本発明のエネルギー消費量取得手段，走行距離取得手段に相当する。また、クリアＳＷ４２が本発明の積算値リセット手段に相当する。また、ＬＣＤ表示器４５が本発明の燃費向上効果出力手段に相当する。
【００２７】
ＣＰＵ４４は、ＲＯＭ４４ａ，ＲＡＭ４４ｂを含んで構成され、ＣＰＵ４４がＲＯＭ４４ａに記憶された制御プログラム（図示せず）を実行することで、車両用燃費表示装置４としての機能を実現する。なお、ＣＰＵ４４が本発明の燃費算出手段，燃費向上効果算出手段に相当する。
【００２８】
図２を用いて、燃費向上効果出力制御処理の概略について説明する。なお、本処理はＲＯＭ４４ａに記憶された制御プログラムに含まれ、制御プログラムの他の処理とともに繰り返し実行される。
【００２９】
まず、ＣＰＵ４４がＩ／Ｆ４８を介してＩＧ＿ＳＷ６がＯＮ状態となったことを検出すると（Ｓ１１０：Ｙｅｓ）、動作モードに入る。そして、車両用燃費表示装置４の初期化を行う（Ｓ１２０）。このとき、前回動作時のＥＣＯポイント（詳細は後述）を、ＲＡＭ４４ｂから読み出す。前回動作時のＥＣＯポイントのデータが消滅している場合、あるいはデータ内容が予め定められる上下限値を超えている場合、ＥＥＰＲＯＭ４６に記憶されているバックアップデータから読み出して、ＥＣＯポイントのデータを復旧させる。
【００３０】
次に、例えばＲＡＭ４４ｂに記憶され、予め定められたタイミングでインクリメントされる表示更新周期カウンタの値が、表示更新周期Ｔｄｓが到来したか否かを判定し、表示更新周期Ｔｄｓが到来した場合（Ｓ１３０：Ｙｅｓ）、表示器４５にＥＣＯ表示（ＥＣＯ状態、ＥＣＯ効果、ＥＣＯの累積ポイント）を表示する（Ｓ１４０）。ＥＣＯ表示の例については、図３，図４に示されるが、詳細については後述する。
【００３１】
次に、Ｉ／Ｆ４３を介してクリアＳＷ４２の状態を判定する。クリアＳＷ４２は、例えばモーメンタリ式のプッシュスイッチとして構成される。ＣＰＵ４４は、クリアＳＷ４２が押下されたことを検出すると（Ｓ１６０：Ｙｅｓ）、ＲＡＭ４４ｂに記憶されているＥＣＯポイントの累積値を含むＥＣＯデータをクリアする（Ｓ１７０）。ＥＥＰＲＯＭ４６に記憶されているバックアップデータも合わせてクリアする。
【００３２】
次に、例えばＲＡＭ４４ｂに記憶され、予め定められたタイミングでインクリメントされる燃費演算周期カウンタの値が、燃費演算周期Ｔｍが到来したか否かを判定し、燃費演算周期Ｔｍが到来した場合（Ｓ１７５：Ｙｅｓ）、上述のエンジンＥＣＵ等のエネルギー消費量検出手段１から、車内ＬＡＮ３を介してエネルギー消費量ΔＶｍを取得する（Ｓ１８０）。ここでは、エネルギー消費量ΔＶｍは燃料消費量とする。
【００３３】
続いて、ＡＢＳ  ＥＣＵ等の走行距離検出手段２から、車内ＬＡＮ３を介して上述のパルスのカウント値を取得して、走行距離Δｄｍを算出する（Ｓ１９０）。走行距離Δｄｍは、今回取得したカウント値から、ＲＡＭ４４ｂに記憶された、前回の処理において取得したカウント値（前回カウント値）を差し引いたものに、予め車両毎に定められている１パルスあたりの走行距離の値を掛ける。そして、前回カウント値を、今回取得したカウント値の内容に更新する。
【００３４】
続いて、次式のように、今回の走行期間内の燃費ｋｍを算出する（Ｓ２００）。
ｋｍ＝Δｄｍ／ΔＶｍ
【００３５】
次に、上述で算出した燃費ｋｍが、予め設定されている基準燃費ｋｓを上回るか否かを判定する。燃費ｋｍが基準燃費ｋｓを上回る場合（Ｓ２１０：Ｙｅｓ）、ＥＣＯ走行であると判定する。そして、ＲＡＭ４４ｂに記憶されるＥＣＯ走行状態フラグ（ＦＥＣＯ）をセットし（Ｓ２２０）、燃費ｋｍと基準燃費ｋｓとの差を効果燃費Δｋとして算出する（Ｓ２３０）。また、効果燃費Δｋとエネルギー消費量ΔＶｍの積を、節約された走行距離相当の効果距離ΔＬとして算出する（Ｓ２６０）。
【００３６】
一方、燃費ｋｍが基準燃費ｋｓを上回らない場合（Ｓ２１０：Ｎｏ）、ＥＣＯ走行でないと判定し、ＲＡＭ４４ｂに記憶されるＥＣＯ走行状態フラグ（ＦＥＣＯ）をクリアする（Ｓ２４０）。そして、節約された走行距離相当の効果距離ΔＬをゼロとする（Ｓ２５０）。ここで、負の値として算出される燃費ｋｍと基準燃費ｋｓとの差と、ΔＶｍとの積を、効果距離ΔＬ（負の値）としてもよい。
【００３７】
次に、上記で算出した効果距離ΔＬを、ＲＡＭ４４ｂに記憶される節約効果距離Ｌに積算する（Ｓ２７０）。
Ｌ＝Ｌ＋ΔＬ
この節約効果距離ＬをＥＣＯポイント（燃費向上効果）として用いる。節約効果距離Ｌに予め定められた係数を掛けたものをＥＣＯポイントとしてもよい。
【００３８】
ＩＧ＿ＳＷ６がＯＦＦ状態となったことを検出しない場合（Ｓ２８０：Ｎｏ）、ステップＳ１３０へ戻り、上述の処理を繰り返す。ステップＳ２７０で算出された節約効果距離Ｌ（ＥＣＯポイント）は、ステップＳ１４０にて表示器４５に表示される。
【００３９】
一方、ＩＧ＿ＳＷ６がＯＦＦ状態となったことを検出した場合（Ｓ２８０：Ｙｅｓ）、節約効果距離ＬをＥＥＰＲＯＭ４６に記憶する（Ｓ２９０）。
【００４０】
このようにして、走行状態が予め設定されている基準燃費よりよい状態で節約できた量に対してのみ効果を積算するため、ユーザは、単純な平均燃費とは違い、節約効果を出したときの量を確認できるため、より省エネ運転を意識することが可能となる。基準燃費は、乗員が設定可能な構成としてもよい。この場合、車両用燃費表示装置４は、テンキーあるいは表示器４５に含まれるタッチパネルを備える。
【００４１】
上述の処理では、燃費効果として、燃費差（Δｋ）と消費燃料（ΔＶｍ）との積として算出される節約効果距離Ｌを積算対象としたが、単位距離あたりの燃料消費量（１／燃費）の差に対して、走行距離から節約できた燃料である効果燃料量ΔＶを以下の式のように算出し、節約効果燃料量Ｖとして積算（Ｖ＝Ｖ＋ΔＶ）してもよい。
ΔＶ＝｛（１／ｋｍ）−（１／ｋｓ）｝×Δｄｍ
この節約効果燃料量Ｖ（あるいは節約効果燃料量Ｖに予め定められた係数を掛けたもの）をＥＣＯポイントとして用いる。
【００４２】
この場合、節約効果燃料量Ｖと燃料単価の積をＥＣＯポイント（節約効果金額）として算出すると、節約効果がより明確なものとなり、乗員の節約意識を更に向上させることが可能となる。
【００４３】
上述の例では、燃費のよい節約状態を積算したが、燃費の悪い時（ｋｍ＜ｋｓ）のときの燃費ｋｍと基準燃費ｋｓの差分（の絶対値）と、ΔＶｍの積を積算して浪費距離（あるいは浪費燃料量）として、乗員に注意を促すことも可能になる。
【００４４】
また、図２において、モータ駆動用バッテリの消費電力量を基にＥＣＯポイントを算出する場合には、以下のように行う。まず、消費電力量ΔＷｍ，走行距離Δｄｍを取得し（Ｓ１８０，Ｓ１９０）、Δｄｍ／ΔＷｍ（１キロワット時あたりの走行距離）を燃費ｋｍとする（Ｓ２００）。そして、予め定められる基準燃費ｋｓと比較し、効果燃費Δｋ（＝ｋｍ−ｋｓ），節約効果距離Ｌ（＝Ｌ＋ΔＬ，ΔＬ＝Δｋ×ΔＷｍ），節約効果電力量Ｗ，節約効果金額等を算出する。１キロワット時で走行可能な距離は、予め車両毎に決まっているので、この値を係数として用いて、節約効果距離Ｌから節約効果電力量Ｗを算出する。また、節約効果金額は、節約効果電力量Ｗに、予めＥＥＰＲＯＭ４６等に記憶された、その地域の電力料金を掛けることで算出できる。
【００４５】
図３および図４に、表示器４５におけるＥＣＯポイントの表示例を示す。図３に、燃費ｋｍが基準燃費ｋｓを上回り、燃費の良い状態であるときの表示例を示す。ＥＣＯ走行であると判定され、ＥＣＯ走行状態フラグ（ＦＥＣＯ）がセットされているので、ＥＣＯ走行状態であることを示すＥＣＯシンボル１０１が点灯する。また、効果燃費Δｋの量に比例してインジケータ１０２が点灯する。効果燃費Δｋが大きければ、点灯するインジケータ１０２のセグメントの個数も多くなる。さらに、ＥＣＯポイント表示部１０３には、現在のＥＣＯポイントの積算値（ＥＣＯ＿Ｐ）が表示される。上述のように、ＥＣＯポイントは、節約効果距離Ｌ，節約効果燃料量Ｖ，節約効果金額の少なくとも１つが表示される。
【００４６】
インジケータ１０２は、矩形のバーグラフ表示としてもよい。
【００４７】
図４に、燃費ｋｍが基準燃費ｋｓを上回らず、燃費の良くない状態であるときの表示例を示す。ＥＣＯ走行状態フラグ（ＦＥＣＯ）がクリアされているので、ＥＣＯシンボル１０１は消灯する。また、インジケータ１０２も消灯する。なお、ＥＣＯポイント表示部１０３では、ＥＣＯポイントが積算値であるため表示は継続される（ポイント値は変わらない）。
【００４８】
図５に、走行経過時間と燃費表示との関係を示す。まず、Ａの時間帯では、燃費の良くない状態であるので、表示器４５は図４の状態となり、ＥＣＯシンボル１０１，インジケータ１０２とも消灯している。また、ＥＣＯポイント表示部１０３にはゼロが表示される。
【００４９】
Ｂの時間帯では、燃費の良い状態であるので、表示器４５は図３の状態となり、ＥＣＯシンボル１０１が点灯し、効果燃費Δｋの量に比例してインジケータ１０２が点灯する。また、ＥＣＯポイント表示部１０３には、そのときの積算値が表示される。
【００５０】
Ｃの時間帯では、燃費の良くない状態であるので、表示器４５は図４の状態となり、ＥＣＯシンボル１０１，インジケータ１０２とも消灯している。また、ＥＣＯポイント表示部１０３には、Ｂの時間帯で積算された値が表示される（値は変化しない）。
【００５１】
Ｄの時間帯では、燃費の良い状態であるので、表示器４５は図３の状態となり、ＥＣＯシンボル１０１が点灯し、効果燃費Δｋの量に比例してインジケータ１０２が点灯する。また、ＥＣＯポイント表示部１０３には、そのときの積算値が表示される。
【００５２】
また、ＥＣＯ走行状態でないときには、非ＥＣＯシンボルを点灯し、浪費燃費（負の値となるΔｋ）の量に比例してインジケータ１０２を点灯し、非ＥＣＯポイントの積算値を表示してもよい。
【００５３】
また、ＥＣＯ走行状態であるときには、効果燃費Δｋの量に比例してインジケータ１０２を緑色点灯し、ＥＣＯ走行状態でないときには、浪費燃費（負の値となるΔｋ）の量に比例してインジケータ１０２を赤色点灯して、現在の燃費状況をより明確に表すようにしてもよい。このとき、ＥＣＯポイントとは別に、燃料を浪費した場合の非ＥＣＯポイント（負の値）も積算表示されるようにしてもよい。このようにすれば、従来のように、燃料節約時と燃料浪費時とが相殺された平均燃費ではなく、燃費が良い場合と悪い場合とが両方とも表示されるので、乗員は今どのような運転をしているのか、燃費が良い場合と悪い場合がどのように発生しているかを把握できる。
【００５４】
また、ハイブリッド車両のように、駆動源としてエンジンとモータとを備えている場合には、エネルギー消費量として燃料消費量とモータ駆動用バッテリの消費電力量の両方を取得し、それぞれの節約効果距離Ｌ等を算出・表示してもよい。この場合、表示器４５では、ＥＣＯポイント表示（１０１〜１０３）を駆動源毎に別個に表示してもよいし、単位を統一して合算したものを表示してもよい。
【００５５】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００５６】
【図１】車両用燃費表示装置の構成を示す図。
【図２】燃費向上効果出力制御処理を説明するフロー図。
【図３】燃費の良い状態であるときの表示例を示す図。
【図４】燃費の良くない状態であるときの表示例を示す図。
【図５】走行経過時間と燃費表示との関係を示す図。
【符号の説明】
【００５７】
１  エネルギー消費量検出手段
２  走行距離検出手段
３  車内ＬＡＮ
４  車両用燃費表示装置
５  バッテリ
６  イグニッションスイッチ（ＩＧ＿ＳＷ）
４１  多重Ｉ／Ｆ（エネルギー消費量取得手段，走行距離取得手段）
４４  ＣＰＵ（燃費算出手段，燃費向上効果算出手段）
４２  クリアＳＷ（積算値リセット手段）
４５  ＬＣＤ表示器（燃費向上効果出力手段）
４６  ＥＥＰＲＯＭ
【図１】
2010038754.tif 000003
【図２】
2010038754.tif 000004
【図３】
2010038754.tif 000005
【図４】
2010038754.tif 000006
【図５】
2010038754.tif 000007